(57)【要約】【課題】製造コストおよび製品の梱包重量を増加させることなく、トレイとケースの結合部に充分な強度を持たせることが可能な技術を提供することを目的とする。【解決手段】ジョイント挿入口２１またはジョイント挿入口３１は、ジョイント挿入口２１またはジョイント挿入口３１が形成される箇所を切れ目に沿って内側または外側に折り返すことで形成され、ジョイント５０は、ジョイント挿入口２１およびジョイント挿入口３１に挿入され、切れ目に沿って内側または外側に折り返された折り返し部にジョイント５０の端部に設けられた蓋部５２が当接することでトレイ２０およびケース３０を結合する。【選択図】図６
2016147685.tif 000002
【特許請求の範囲】
【請求項１】
製品を載せるためのトレイと、前記トレイとともに前記製品を覆い被せて梱包するためのケースと、前記トレイおよび前記ケースを結合するジョイントとを備える梱包箱であって、
前記トレイは、上方に開口し、かつ、側面に形成された第１ジョイント挿入口を備え、
前記ケースは、下方に開口し、かつ、前記トレイに被せた状態で前記第１ジョイント挿入口に対応する位置に形成された第２ジョイント挿入口を備え、
前記第１ジョイント挿入口または前記第２ジョイント挿入口は、前記第１ジョイント挿入口または前記第２ジョイント挿入口が形成される箇所を切れ目に沿って内側または外側に折り返すことで形成され、
前記ジョイントは、前記第１ジョイント挿入口および前記第２ジョイント挿入口に挿入され、前記切れ目に沿って内側または外側に折り返された折り返し部に前記ジョイントの端部に設けられた蓋部が当接することで前記トレイおよび前記ケースを結合する、梱包箱。
【請求項２】
前記第１ジョイント挿入口は、前記第１ジョイント挿入口が形成される箇所を前記切れ目に沿って上下または左右に両開きするように内側に折り返すことで形成される、請求項１記載の梱包箱。
【請求項３】
前記第２ジョイント挿入口は、前記第２ジョイント挿入口が形成される箇所を前記切れ目に沿って上下または左右に両開きするように内側に折り返すことで形成される、請求項１または請求項２記載の梱包箱。
【請求項４】
前記第１ジョイント挿入口は、前記第１ジョイント挿入口が形成される箇所を前記切れ目に沿って上下または左右に片開きするように内側に折り返すことで形成される、請求項１記載の梱包箱。
【請求項５】
前記第２ジョイント挿入口は、前記第２ジョイント挿入口が形成される箇所を前記切れ目に沿って上下または左右に片開きするように内側に折り返すことで形成される、請求項１または請求項４記載の梱包箱。
【請求項６】
請求項１から請求項５のいずれか１つに記載の梱包箱の梱包構造であって、
前記折り返し部により前記第１ジョイント挿入口または前記第２ジョイント挿入口の周辺部を補強する、梱包構造。
【発明の詳細な説明】
【技術分野】
【０００１】
本発明は、映像表示装置などの大型の重量物の梱包箱および梱包構造に関するものである。
【背景技術】
【０００２】
映像表示装置（例えばテレビジョン受像機または液晶モニター）などの大型で重量のある製品を、容易に開梱・梱包できる梱包構造がある。この梱包構造では、製品を容易に載せることができる程度の高さでかつ上方が開口したトレイの上に製品を載せ、その上から、製品を覆う程度の高さを有しかつ下方が開口したケースを被せて、ジョイントでトレイとケースを結合するという方法が採用されている（例えば、特許文献１参照）。なお、通常はトレイと製品との間、およびケースと製品との間には、発砲スチロールなどの緩衝部材が配置され、製品に衝撃が伝わることを防止している。
【０００３】
ケースの側面には、指を引掛けて持ち上げるための穴が設けられている。しかし、製品の重量が重い場合、製品を載せたトレイの重みによって、ジョイントによる結合部が破損してしまい、製品が落下する恐れがある。また、輸送中の振動などにより、ジョイントの挿入口が破れて広がってしまい、ジョイントの結合が弱くなることがある。
【０００４】
このような問題を避けるため、梱包箱には充分な強度をもつ厚いダンボール材が用いられる。または、厚いダンボール材を用いる代わりに、トレイまたはケースの側面を折り曲げて二重に重ねることで補強が行われる（例えば、特許文献２参照）。
【先行技術文献】
【特許文献】
【０００５】
【特許文献１】特開２００７−３２６６２０号公報
【特許文献２】特開２００９−１８８７０号公報
【発明の概要】
【発明が解決しようとする課題】
【０００６】
しかしながら、梱包箱の強度を上げるためにダンボール材の厚みを厚くすると梱包箱の製造コストが増加するとともに製品の梱包重量が増加するという問題がある。
【０００７】
また、ダンボール材を折り曲げて補強する場合は、ダンボール材を折り曲げて補強するための折り曲げ部分のダンボール材が増加するため、ダンボール材の材料取りが多くなり、梱包箱の製造コストが増加してしまうという問題がある。
【０００８】
そこで、本発明は、製造コストおよび製品の梱包重量を増加させることなく、トレイとケースの結合部に充分な強度を持たせることが可能な技術を提供することを目的とする。
【課題を解決するための手段】
【０００９】
本発明に係る梱包箱は、製品を載せるためのトレイと、前記トレイとともに前記製品を覆い被せて梱包するためのケースと、前記トレイおよび前記ケースを結合するジョイントとを備える梱包箱であって、前記トレイは、上方に開口し、かつ、側面に形成された第１ジョイント挿入口を備え、前記ケースは、下方に開口し、かつ、前記トレイに被せた状態で前記第１ジョイント挿入口に対応する位置に形成された第２ジョイント挿入口を備え、前記第１ジョイント挿入口または前記第２ジョイント挿入口は、前記第１ジョイント挿入口または前記第２ジョイント挿入口が形成される箇所を切れ目に沿って内側または外側に折り返すことで形成され、前記ジョイントは、前記第１ジョイント挿入口および前記第２ジョイント挿入口に挿入され、前記切れ目に沿って内側または外側に折り返された折り返し部に前記ジョイントの端部に設けられた蓋部が当接することで前記トレイおよび前記ケースを結合するものである。
【００１０】
本発明に係る梱包構造は、前記折り返し部により前記第１ジョイント挿入口または前記第２ジョイント挿入口の周辺部を補強するものである。
【発明の効果】
【００１１】
本発明によれば、第１ジョイント挿入口または第２ジョイント挿入口は、第１ジョイント挿入口または第２ジョイント挿入口が形成される箇所を切れ目に沿って内側または外側に折り返すことで形成され、ジョイントは、第１ジョイント挿入口および第２ジョイント挿入口に挿入され、切れ目に沿って内側または外側に折り返された折り返し部にジョイントの端部に設けられた蓋部が当接することでトレイおよびケースを結合する。
【００１２】
したがって、第１ジョイント挿入口または第２ジョイント挿入口の周辺部は折り返し部によって二重になり補強される。そのため、ケースを掴んで持ち上げる際、製品の重みにより第１ジョイント挿入口および第２ジョイント挿入口の周縁部に負荷がかかったり、ジョイントによりトレイおよびケースが結合された状態で製品が振動することで第１ジョイント挿入口および第２ジョイント挿入口の周縁部に負荷がかかったりするが、トレイとケースの結合部に充分な強度を持たせることができる。
【００１３】
また、梱包箱に薄いダンボール材を使用した場合でも、必要な箇所だけ二重構造にすることで強度を増すことができ、さらに、本来ならば除去する部分の材料を利用しているため、材料取りも従来の梱包箱の場合と同じである。これにより、製造コストおよび製品の梱包重量を増加させずに、トレイとケースの結合部に充分な強度を持たせることが可能となる。
【図面の簡単な説明】
【００１４】
【図１】実施の形態に係る梱包箱の斜視図である。
【図２】トレイの展開図である。
【図３】ケースの展開図である。
【図４】ジョイントの斜視図である。
【図５】梱包箱における薄型テレビジョン受像機の梱包方法を示す分解斜視図である。
【図６】梱包箱におけるケースとトレイの結合状態を示す断面図である。
【図７】トレイの斜視図である。
【図８】トレイにおける第１ジョイント挿入口の開閉状態を示す展開図である。
【図９】前提技術に係る梱包箱におけるケースとトレイの結合状態を示す断面図である。
【発明を実施するための形態】
【００１５】
＜実施の形態＞
本発明の実施の形態について、図面を用いて以下に説明する。図１は、実施の形態に係る梱包箱の斜視図である。
【００１６】
図１に示すように、梱包箱は、トレイ２０、ケース３０およびジョイント５０を備えている。トレイ２０は、上方に開口しかつ側面に形成されたジョイント挿入口２１（第１ジョイント挿入口）を備え、製品を載せるための部材である。ここで、製品とは、例えば大型重量物である薄型テレビジョン受像機などの映像表示装置である。
【００１７】
ケース３０は、下方に開口し、トレイ２０とともに製品を覆い被せて梱包するための部材である。また、ケース３０は、トレイ２０に被せた状態でジョイント挿入口２１に対応する位置に形成されたジョイント挿入口３１（第２ジョイント挿入口）を備えている。
【００１８】
ジョイント５０は、ジョイント挿入口３１およびジョイント挿入口２１に挿入されることでトレイ２０およびケース３０を結合する。
【００１９】
梱包箱は、上方が開口したトレイ２０に対して、下方が開口したケース３０を、側面の一部が対向するように被せて、トレイ２０のジョイント挿入口２１とケース３０のジョイント挿入口３１の位置を合わせた状態で、ジョイント挿入口３１およびジョイント挿入口２１にジョイント５０を挿入することで、トレイ２０とケース３０を結合する構造となっている。
【００２０】
次に、トレイ２０について説明する。図２は、トレイの展開図である。図２に示すように、トレイ２０は、１枚のダンボール材の折り曲げ加工によって形成されており、底面部２５と、底面部２５の外周４辺から垂直に折り曲げられた側面部２６とを備えている。側面部２６には、ジョイント挿入口２１が複数箇所設けられている。また、側面部２６の長手方向端部には、トレイ２０の組立構造である挿入部２２および挿入口２３が設けられている。挿入部２２が外側に配置されるとともに挿入口２３が内側に配置されるように、底面部２５の外周４辺を垂直に折り曲げた状態で、挿入部２２を挿入口２３に挿入することで、上方が開口した箱形状のトレイ２０が完成する。ただし、この方法はトレイ組立方法の一例であり、上方が開口した箱形状を形成することができ、箱形状が容易に崩れない方法であれば、どのような組立方法を採用してもよい。
【００２１】
次に、ケース３０について説明する。図３は、ケース３０の展開図である。図３に示すように、ケース３０は、１枚のダンボール材の折り曲げ加工によって形成されており、４つの側面部３５と、それぞれの側面部３５の上辺から垂直に折り曲げられた天面フラップ３３とを備えている。ケース３０はさらに、１つの側面部３５の側辺から折り曲げられたケース綴代３４を備えている。
【００２２】
４つの天面フラップ３３を折り曲げてケース３０の上面を閉じ、テープで４つの天面フラップ３３を固定することで、下方が開口した箱形状のケース３０が完成する。また、側面部３５には、運搬用の手掛け穴３２が設けられ、側面部３５の下部には、ジョイント挿入口３１が複数箇所設けられている。
【００２３】
次に、ジョイント５０について説明する。図４は、ジョイント５０の斜視図である。図４に示すように、ジョイント５０は、一対の蓋部５２と一対のつまみ５１を備えている。一対の蓋部５２は、ジョイント５０の内端部から突出するように配置され、一対のつまみ５１は、一対の蓋部５２の基端部にそれぞれ連結されている。一対の蓋部５２は一対のつまみ５１に連動してそれぞれ開閉可能に構成されており、一対のつまみ５１を奥に押し込むと一対の蓋部５２が開き、一対のつまみ５１を手前に引き出すと一対の蓋部５２が閉じる。
【００２４】
ジョイント５０は、蓋部５２が開いた状態ではトレイ２０のジョイント挿入口２１およびケース３０のジョイント挿入口３１に挿入できないが、蓋部５２が閉じた状態ではジョイント挿入口３１およびジョイント挿入口２１に挿入可能となる。蓋部５２が閉じた状態でジョイント挿入口３１とジョイント挿入口２１に蓋部５２を挿入した後、つまみ５１を押し込むことで蓋部５２が開き、蓋部５２がジョイント挿入口２１の周辺部の内面側に当接し、ジョイント５０を引き抜くことができなくなる。このようにして、トレイ２０とケース３０は結合される。
【００２５】
ここで、一対の蓋部５２は、トレイ２０のジョイント挿入口２１の周辺部に設けられた折り返し部の位置に合わせて上下または左右に開くように調整される。折り返し部は、上記の説明で用いた図面には示されていないが、図６から図８を用いて後に詳細に説明することとする。
【００２６】
なお、図４はトレイ２０とケース３０を結合するジョイント５０の一例であって、ケース３０に設けられたジョイント挿入口３１とトレイ２０に設けられたジョイント挿入口２１に挿入して、ジョイント挿入口２１の周辺部の内面側に当接する構造を有するジョイントであれば採用可能である。また、ジョイント５０は、プラスチック製のものが一般的だが、結合の仕組みが同様であれば、別の素材で構成されていても構わない。
【００２７】
次に、製品の梱包方法について説明する。図５は、梱包箱における薄型テレビジョン受像機１００の梱包方法を示す分解斜視図である。図５に示すように、薄型テレビジョン受像機１００とトレイ２０との間（薄型テレビジョン受像機１００の底面側）には、発泡スチロールなどの緩衝部材４２が配置され、薄型テレビジョン受像機１００とケース３０との間（薄型テレビジョン受像機１００の天面側）には、発泡スチロールなどの緩衝部材４１が配置されている。また、図５では示していないが、薄型テレビジョン受像機１００の前面側、背面側および側面側などに緩衝部材を配置する場合もある。また、薄型テレビジョン受像機１００は、梱包袋４３に覆われて保護されている。
【００２８】
梱包手順について説明する。最初に作業者は、上方が開口したトレイ２０を床に置き、トレイ２０内に緩衝部材４２を薄型テレビジョン受像機１００に合わせた位置に配置し、緩衝部材４２に梱包袋４３に覆われた薄型テレビジョン受像機１００を載せる。このとき、薄型テレビジョン受像機１００は緩衝部材４２に支持されるため転倒しない。さらに作業者は、薄型テレビジョン受像機１００の天面側に、緩衝部材４１を配置し、緩衝部材４１の上からケース３０を覆い被せる。作業者は、ジョイント挿入口２１とジョイント挿入口３１の位置を合わせた状態で、ジョイント挿入口３１とジョイント挿入口２１にジョイント５０を蓋部５２側から挿入し、外側からつまみ５１を押し込むことで蓋部５２が開き、蓋部５２がジョイント挿入口２１の周辺部の内面側に当接し、トレイ２０とケース３０が結合される。なお、開梱手順は上記と逆の手順で行われるため、説明を省略する。
【００２９】
ここで、上記では薄型テレビジョン受像機１００の梱包を例に説明したが、その他の製品、特に重量の大きい物品に関しても、上記の梱包方法が採用される。
【００３０】
このような構成にすることで、開梱・梱包の際に、重量の重い製品を、トレイ２０の高さ分だけの持ち上げしか必要とせず、さらにトレイ２０とケース３０の結合・分離も、ジョイント５０を破壊したり切断したりすることなく、容易に行うことができる。
【００３１】
次に、実施の形態に係る梱包構造、すなわち、梱包箱におけるケース３０とトレイ２０の結合状態と、前提技術の場合とについて対比しながら説明する。最初に、前提技術に係る梱包箱におけるケース３０とトレイ２０の結合状態について説明する。図９（ａ）は、前提技術に係る梱包箱におけるケース３０とトレイ２０の結合状態を示す断面図であり、図９（ｂ）は、図９（ａ）の要部拡大図である。
【００３２】
図９（ａ），（ｂ）に示すように、ジョイント５０がジョイント挿入口３１とジョイント挿入口２１に挿通され、蓋部５２がジョイント挿入口２１の周辺部の内面に当接し、トレイ２０とケース３０を結合している。しかし、前提技術においては、製品の重量が重い場合、製品を載せたトレイ２０の重みによって、ジョイント５０による結合部が破損してしまい、製品が落下する恐れがある。また、輸送中の振動などにより、ジョイント挿入口３１およびジョイント挿入口２１が破れて広がってしまい、ジョイント５０の結合が弱くなることがある。このような問題を解消するための方法として、梱包箱の強度を上げるためにダンボール材の厚みを厚くしたり、トレイ２０またはケース３０の側面を折り曲げて二重に重ねたりする方法がある。
【００３３】
しかしながら、梱包箱の強度を上げるためにダンボール材の厚みを厚くすると梱包箱の製造コストが増加するとともに製品の梱包重量が増加するという問題がある。また、ダンボール材を折り曲げて補強する場合は、ダンボール材を折り曲げて補強するための折り曲げ部分のダンボール材が増加するとともに、ダンボール材の材料取りが多くなり、梱包箱の製造コストが増加してしまうという問題がある。
【００３４】
次に、実施の形態に係る梱包箱におけるケース３０とトレイ２０の結合状態について説明する。図６（ａ）は、梱包箱におけるケース３０とトレイ２０の結合状態を示す断面図であり、図６（ｂ）は、図６（ａ）の要部拡大図である。
【００３５】
図６（ａ），（ｂ）に示すように、ジョイント挿入口２１は、ダンボール材を上下に両開きするように内側に折り返すことで形成されており、切れ目２４ａ（図８（ａ）参照）に沿って内側に折り返された折り返し部２４によってジョイント挿入口２１の上下の周辺部が二重になっており補強されている。この場合、蓋部５２は、上下方向に開くように配置され、折り返し部２４の内面に当接する。また、折り返し部２４がトレイ２０の内側に形成され、トレイ２０とケース３０との間で段差が生じないため、トレイ２０およびケース３０が安定的に結合される。
【００３６】
次に、ジョイント挿入口２１に形成される折り返し部２４について説明する。図７は、トレイ２０の斜視図である。図８は、トレイ２０におけるジョイント挿入口２１の開閉状態を示す展開図であり、より具体的には、図８（ａ）は、ジョイント挿入口２１の閉状態を示す展開図であり、図８（ｂ）は、ジョイント挿入口２１の開状態を示す展開図である。
【００３７】
図８（ａ）に示すように、切れ目２４ａは、側面部２６におけるジョイント挿入口２１が形成される箇所に左右方向に延びるように設けられている。そのため、ジョイント挿入口２１は、図７と図８（ｂ）に示すように、ジョイント挿入口２１が形成される箇所を切れ目２４ａに沿って上下に両開きするように内側に折り返すことで形成される。
【００３８】
なお、ジョイント挿入口２１は、側面部２６におけるジョイント挿入口２１が形成される箇所を切れ目２４ａに沿って上下に片開きするように内側に折り返すことで形成されてもよいし、さらに、切れ目２４ａに沿って上下に両開きまたは片開きするように外側に折り返すことで形成されてもよい。
【００３９】
また、切れ目は、側面部２６におけるジョイント挿入口２１が形成される箇所に上下方向に延びるように設けられ、ジョイント挿入口２１は、ジョイント挿入口２１が形成される箇所を切れ目に沿って左右に両開きまたは片開きするように内側または外側に折り返すことで形成されてもよい。
【００４０】
さらに、ケース３０のジョイント挿入口３１の周辺部に折り返し部が設けられてもよい。この場合、切れ目は、ケース３０の側面部３５におけるジョイント挿入口３１が形成される箇所に左右方向または上下方向に延びるように設けられ、ジョイント挿入口３１は、ジョイント挿入口２１が形成される箇所を切れ目に沿って上下または左右に両開きまたは片開きするように内側または外側に折り返すことで形成される。
【００４１】
折り返し部がケース３０の外側に形成される場合、トレイ２０とケース３０との間で段差が生じないため、トレイ２０およびケース３０が安定的に結合される。なお、この場合、ジョイント５０の外端部にも一対の蓋部を設けて、当該一対の蓋部がジョイント挿入口３１の外側に形成される折り返し部に当接するように、ジョイント５０が固定される。
【００４２】
以上のように、実施の形態に係る梱包箱では、ジョイント挿入口２１またはジョイント挿入口３１は、ジョイント挿入口２１またはジョイント挿入口３１が形成される箇所を切れ目に沿って内側または外側に折り返すことで形成され、ジョイント５０は、ジョイント挿入口３１およびジョイント挿入口２１に挿入され、切れ目に沿って内側または外側に折り返された折り返し部にジョイント５０の端部に設けられた蓋部５２が当接することでトレイ２０およびケース３０を結合する。
【００４３】
したがって、ジョイント挿入口２１またはジョイント挿入口３１の周辺部は折り返し部によって二重になり補強される。そのため、ケース３０を掴んで持ち上げる際、製品の重みによりジョイント挿入口２１およびジョイント挿入口３１の周縁部に負荷がかかったり、ジョイント５０によりトレイ２０およびケース３０が結合された状態で製品が振動することでジョイント挿入口２１およびジョイント挿入口３１の周縁部に負荷がかかったりするが、トレイ２０とケース３０の結合部に充分な強度を持たせることができる。
【００４４】
また、梱包箱に薄いダンボール材を使用した場合でも、必要な箇所だけ二重構造にすることで強度を増すことができ、さらに、本来ならば除去する部分の材料を利用しているため、材料取りも従来の梱包箱の場合と同じである。これにより、製造コストおよび製品の梱包重量を増加させずに、トレイ２０とケース３０の結合部に充分な強度を持たせることが可能となる。
【００４５】
したがって、ジョイント５０を固定したまま、手掛け穴３２などを掴んでケース３０を持ち上げたときに、大きな負荷のかかるジョイント挿入口２１およびジョイント挿入口３１の周辺部を補強することができ、製品を載せたトレイ２０の重みによって、ジョイント挿入口２１およびジョイント挿入口３１が変形または破損してしまい、製品が落下または転倒してしまうという問題を解消できる。
【００４６】
ジョイント挿入口２１は、ジョイント挿入口２１が形成される箇所を切れ目に沿って上下または左右に両開きするように内側に折り返すことで形成されるため、折り返し部２４がジョイント５０の一対の蓋部５２で当接され、トレイ２０およびケース３０が安定的に結合される。
【００４７】
ジョイント挿入口３１は、ジョイント挿入口３１が形成される箇所を切れ目に沿って上下または左右に両開きするように内側に折り返すことで形成される場合、折り返し部がトレイ２０を介してジョイント５０の一対の蓋部５２で当接されるため、トレイ２０およびケース３０が安定的に結合される。
【００４８】
ジョイント挿入口２１は、ジョイント挿入口２１が形成される箇所を切れ目に沿って上下または左右に片開きするように内側に折り返すことで形成される場合、両開きする場合よりも片方の折り返し部２４の分だけ製品の梱包重量が減少する。
【００４９】
ジョイント挿入口３１は、ジョイント挿入口３１が形成される箇所を切れ目に沿って上下または左右に片開きするように内側に折り返すことで形成される場合、両開きする場合よりも片方の折り返し部の分だけ製品の梱包重量が減少する。
【００５０】
なお、本発明は、その発明の範囲内において、実施の形態を適宜、変形、省略することが可能である。
【符号の説明】
【００５１】
２０  トレイ、２１  ジョイント挿入口、２４  折り返し部、２４ａ  切れ目、３０  ケース、３１  ジョイント挿入口、５０  ジョイント、５２  蓋部、１００  薄型テレビジョン受像機。
【図１】
2016147685.tif 000003
【図２】
2016147685.tif 000004
【図３】
2016147685.tif 000005
【図４】
2016147685.tif 000006
【図５】
2016147685.tif 000007
【図６】
2016147685.tif 000008
【図７】
2016147685.tif 000009
【図８】
2016147685.tif 000010
【図９】
2016147685.tif 000011